(57)【特許請求の範囲】
【請求項１】
前軸と後軸とからなる軸筒内に挿入された１本の中芯を繰り出し可能にした筆記具において、
前記後軸に対して回動自在に連結された前軸ユニットは、
内壁面で周方向に延在してなるカム面を有すると共に、前記後軸に対して回動自在に連結される前記前軸と、
前記前軸内に挿入されると共に、外壁面に突出して前記カム面上を摺動するフォロア部が形成され、前記前軸内で軸線方向に往復動する中芯ホルダと、
前記中芯ホルダの前記フォロア部を前記前軸の前記カム面に押圧させるバネ部と、を備えたことを特徴とする筆記具。
【請求項２】
前記後軸の内壁面に嵌合されると共に、前記前軸の外壁面の後端で周方向に回動自在に装着されている連結用リングを更に備えたことを特徴とする請求項１記載の筆記具。
【請求項３】
前記前軸は、ネジ結合により二分割可能な先口部とホルダ収容部とからなり、前記中芯ホルダ内に装填された前記中芯の周囲に前記バネ部としてのコイルバネが設けられ、前記コイルバネの前端が前記先口部に係止され、前記コイルバネの後端は前記中芯に係止され、前記中芯の後端は、前記中芯ホルダ内で規制されていることを特徴とする請求項１又は２記載の筆記具。
【発明の詳細な説明】
【技術分野】
【０００１】
本発明は、１本の中芯を軸筒の回動によって繰り出し可能にした筆記具に関するものである。
【背景技術】
【０００２】
従来、このような分野の技術として、実用新案登録第２５５５６７３号公報がある。この公報に記載された筆記具は、回動繰り出し式であり、前軸に対して後軸を回動させると、後軸内に配置された駆動部材がリフィールホルダを回動させながら前後動し、リフィールホルダ内で保持されたリフィールの先端を前軸の先端から出没させるように構成されている。この筆記具の繰り出し機構として、カムとカムシャーシは、カムの外周に設けられた突起によって回動不能に連結され、カムとカムシャーシとで螺旋状のカム溝が形成されている。これに対して、リフィールホルダの外周面には、螺旋状のカム溝内に係合させるための作動子が形成されている。そして、後軸を回動させることで、カム溝が追従して回動し、このカム溝内に挿入されている作動子を介してリフィールホルダが軸筒内で進退する。このリフィールホルダには、リフィール（中芯）が固定されているので、後軸を正転又は逆転させることによって、前軸の先端からリフィールの先端を出没させることができる。
【先行技術文献】
【特許文献】
【０００３】
【特許文献１】実用新案登録第２５５５６７３号公報
【発明の概要】
【発明が解決しようとする課題】
【０００４】
しかしながら、前述した従来の筆記具では、後軸内にリフィール繰り出し機構が装備されているので、例えば、後軸を複雑な形状にしたり、後軸に設けられているクリップを変更する等、後軸の意匠を変更させる際に、リフィール繰り出し機構の大きさや形状に左右されてしまうので、後軸の設計自由度が低いといった問題点があった。
【０００５】
本発明は、後軸の設計の自由度を高めるようにした筆記具を提供することを目的とする。
【課題を解決するための手段】
【０００６】
本発明は、前軸と後軸とからなる軸筒内に挿入された１本の中芯を繰り出し可能にした筆記具において、
後軸に対して回動自在に連結された前軸ユニットは、内壁面で周方向に延在してなるカム面を有すると共に、後軸に対して回動自在に連結される前軸と、前軸内に挿入されると共に、外壁面に突出してカム面上を摺動するフォロア部が形成され、前軸内で軸線方向に往復動する中芯ホルダと、中芯ホルダのフォロア部を前軸のカム面に押圧させるバネ部と、を備えたことを特徴とする。
【０００７】
この筆記具は、前軸内に中芯繰り出し機構が装備されている前軸ユニットを採用している。この筆記具で、後軸に対して前軸を回動させると、前軸の内壁面で周方向に延在してなるカム面が回動する。そして、バネ部によって付勢された中芯ホルダに設けられたフォロア部は、周方向に移動するカム面に追従して軸線方向に往復動し、中芯ホルダを軸線方向に往復動させる。中芯ホルダが往復動することで、中芯の先端を前軸の先端から出没させることができる。従って、中芯繰り出し機構を備えた前軸ユニットを筆記具に採用することで、後軸の意匠を変更させ易く、後軸の設計自由度を高めることができる。
【０００８】
また、後軸の内壁面に嵌合されると共に、前軸の外壁面の後端で周方向に回動自在に装着されている連結用リングを更に備えると好適である。
このような連結用リングは、前軸を安定して回動させることができ、前軸ユニットと後軸とを確実に連結させる部品としても利用することができる。
【０００９】
また、前軸は、ネジ結合により二分割可能な先口部とホルダ収容部とからなり、中芯ホルダ内に装填された中芯の周囲にバネ部としてのコイルバネが設けられ、コイルバネの前端が先口部に係止され、コイルバネの後端は中芯に係止され、中芯の後端は、中芯ホルダ内で規制されていると好適である。
このような構成にあっては、前軸の先口部を回してホルダ収容部から分離させることで、コイルバネと一緒に中芯を中芯ホルダから引き出すことができる。このように、本構成は、筆記具の前側から中芯交換をすることができ、中芯の交換作業が容易である。
【発明の効果】
【００１０】
本発明によれば、後軸の設計の自由度を高めることができる。
【図面の簡単な説明】
【００１１】
【図１】本発明に係る筆記具の一実施形態を示す斜視図である。
【図２】前軸ユニットと後軸とを分離させた状態を示す斜視図である。
【図３】図１に示された筆記具の断面図である。
【図４】図１に示された筆記具の分解斜視図である。
【図５】（ａ）はカム面を有するホルダ収容部の断面図、（ｂ）はカム面の展開図である。
【発明を実施するための形態】
【００１２】
以下、図面を参照しつつ本発明に係る筆記具の好適な実施形態について詳細に説明する。なお、ペン先側を「前方側」として以下説明する。
【００１３】
図１及び図２に示すように、筆記具１は、回動繰り出し式であり、軸筒５の回動によって中芯２の出没が可能である。この軸筒５は、前軸３と後軸４とからなり、後軸４には、クリップ６が一体に形成されている。
【００１４】
後軸４に対して回動自在に連結されている前軸ユニット１０には、前軸３内に中芯繰り出し機構が装備されている。この前軸ユニット１０内には、中芯２が格納されており、この中芯２は筆記具１の前側から交換可能になっている。
【００１５】
図２〜図４に示すように、前軸ユニット１０は、二分割可能な前軸３と、中芯２が装填される円筒状の中芯ホルダ１１と、を備えている。前軸３は、後部に雄ネジ部１２ａが形成された円錐形状の先口部１２と、前部に雌ネジ部１３ａが形成されたホルダ収容部１３とからなり、先口部１２を外すことで、中芯２を外部に取り出すことができ、中芯２の交換が可能になっている。
【００１６】
両端が開放された略円筒形状のホルダ収容部１３の内壁面１３ｂには、雌ネジ部１３ａと、周方向に延在するカム面１４とが形成されている。このカム面１４は、内壁面１３ｂの略全周に渡って段状に突出し、内壁面１３ｂ上で、前側に対して後側が１段高くなった境界面がカム面１４として利用されている。
【００１７】
円筒状のホルダ収容部１３は、前側に位置する大径部１３ｃと後側に位置する小径部１３ｄとからなっている。大径部１３ｃには、雌ネジ部１３ａが形成され、大径部１３ｃの外面は、先口部１２の外面に連続すると共に、筆記部１の外部に露出させられている。これに対して、小径部１３ｄは、後軸４内に挿入されて、筆記部１の外部に露出していない。
【００１８】
ホルダ収容部１３を貫通する中芯ホルダ１１の外壁面１１ａには、カム面１４上を摺動するフォロア部１６が形成されている。この中芯ホルダ１１の前端には、フランジ部１１ｂが形成され、フォロア部１６は、中芯ホルダ１１の外壁面１１ａでフランジ部１１ｂから軸線Ｌ方向にキー状に延在している。フォロア部１６は、周方向において１８０度の位相角度で２本形成されている。
【００１９】
フォロア部１６の端面には、カム面１４上での摺動性を良好にするために半円形の摺接部１６ａが形成されている（図５参照）。そして、フォロア部１６の移動に合わせて中芯ホルダ１１は、軸線Ｌ方向に往復動する。
【００２０】
さらに、カム面１４にフォロア部１６の摺接部１６ａを常に押圧し続けておくために、中芯２の周囲に圧縮コイルバネ（バネ部）１７が設けられ、この圧縮コイルバネ１７の前端は、先口部１２に段状に形成されたバネ当て部１２ｂに係止され、圧縮コイルバネ１７の後端は中芯２の途中に形成されたバネ当て部（クリンプ）２ａに係止され、中芯２の後端は、中芯ホルダ１１の後端壁１１ｃに後方への移動が規制されている。従って、圧縮コイルバネ１７によって、中芯ホルダ１１には、後方に向かう付勢力が与え続けられ、カム面１４にフォロア部１６の摺接部１６ａを常に押圧し続けることができる。
【００２１】
また、前軸ユニット１０には、連結用リング１８が設けられ、この連結用リング１８によって前軸ユニット１０と後軸４との回動自在な連結を可能にしている。この連結用リング１８は、ホルダ収容部１３の小径部１３ｄの後端に形成された抜け止め爪２２により係止させられると共に、ホルダ収容部１３の小径部１３ｄの外壁面における後端側に、抜け止め爪２２の先端側から嵌め込まれ、周方向で回動自在に装着されている。
【００２２】
図２に示すように、連結用リング１８の外面には、後軸４の内壁面４ａに形成されたリング状の凹部４ｂに嵌合させるためのリング状の凸部１８ａが並設されている。筆記具１の組立て時に、後軸４内に前軸ユニット１０を軸線Ｌ方向に挿入させると、連結用リング１８の凸部１８ａは凹部４ｂに対してワンタッチで嵌合される。
【００２３】
このような連結用リング１８は、前軸３を安定して回動させることができ、前軸ユニット１０と後軸４とを確実に連結させる部品としても利用することができる。なお、ホルダ収容部１３の小径部１３ｄの前側には、後軸４内で前軸ユニット１０がガタ付くのを防止するために、リング状のスペーサ部１９が一体に形成されている。
【００２４】
また、中芯ホルダ１１の後端部には、軸線Ｌ方向に延在するスリット２０が形成され、後軸４の内壁面４ａには、径方向に突出する回り止め片２１が形成されている。そして、回り止め片２１が中芯ホルダ１１のスリット２０内に入り込むことで、中芯ホルダ１１の回り止めと軸線Ｌ方向の直進運動とが可能になる。
【００２５】
図５に示すように、ホルダ収容部１３の内壁面１３ｂには、周方向に延在するカム面１４が形成されている。このカム面１４には、最下位置（中芯埋没位置）の谷底１４ａから最上位置（中芯突出位置）の頂部１４ｂまで傾斜して延在するガイド面１４ｃと、ガイド面１４ｃの頂部１４ｂに形成されて、フォロア部１６の摺接部１６ａの落とし込みを可能にした係止凹部１４ｄと、が設けられている。このようなカム面１４は、ホルダ収容部１３の内壁面１３ｂにおいて周方向で１８０度の位相角度をもって２箇所形成され、これに対応するように、フォロア部１６も、中芯ホルダ１１の外壁面１１ａに周方向で１８０度の位相角度をもって２箇所形成されている。
【００２６】
このような構成の筆記具１にあっては、図１の矢印Ａで示すように、後軸４に対して前軸３を捻るように回動させると、前軸３の内壁面に形成されているカム面１４が前軸３と一緒に回動する。そして、圧縮コイルバネ１７によって付勢された中芯ホルダ１１に設けられたフォロア部１６が、周方向に移動するカム面１４に追従して軸線Ｌ方向に往復動することで、中芯ホルダ１１は軸線Ｌ方向に往復動する。中芯ホルダ１１が往復動することで、中芯２の先端を前軸３の先端から出没させることができる。
【００２７】
利用者が前軸３を捻ると、フォロア部１６は、斜面をなすガイド面１４ｃに沿って谷底１４ａから頂部１４ｂに向かって軸線方向に移動する。このとき、圧縮コイルバネ１７が圧縮され続けて、最終的に、フォロア部１６の摺接部１６ａが頂部１４ｂを超えて係止凹部１４ｄ内に落とし込まれ、中芯２の先端は、前軸３から突出して筆記可能状態になる。次に、前軸３を逆方向に捻ってフォロア部１６の摺動部１６ａが係止凹部１４ｄを乗り越えると、圧縮コイルバネ１７のバネ力によって、フォロア部１６は一気にガイド面１４ｃを滑り落ち、中芯２の先端をスピーディに前軸３内に隠すことができる。
【００２８】
このように、前軸３と中芯ホルダ１１と圧縮コイルバネ１７とを備えた前軸ユニット１０を採用することで、筆記時の重心を前軸３側にもってくることができ、後軸４の意匠を変更させ易く、後軸４の設計自由度を高めることができる。
【００２９】
また、中芯２を交換するにあたって、前軸３の先口部１２を回してホルダ収容部１３から分離させると、圧縮コイルバネ１７と一緒に中芯２を中芯ホルダ１１から引き出すことができる。このように、筆記具１の前側から中芯２を交換することができ、中芯２の交換作業性が容易になる。
【符号の説明】
【００３０】
１…筆記具、２…中芯、３…前軸、４…後軸、５…軸筒、１０…前軸ユニット、１１…中芯ホルダ、１２…先口部、１３…ホルダ収容部、１４…カム面、１６…フォロア部、１７…圧縮コイルバネ（バネ部）、１８…連結用リング、Ｌ…軸線。
【図１】
0005496046.tif 000002
【図２】
0005496046.tif 000003
【図３】
0005496046.tif 000004
【図４】
0005496046.tif 000005
【図５】
0005496046.tif 000006